(57)【要約】【課題】  寝具のレンタルを行うに際し、レンタル先の消費者に対して寝室との関係において最適な保温性能を有する寝具を提案して、それを仕入れのために寝具メーカーに発注することを支援する。【解決手段】  寝具を使用する寝具借り入れ希望者の寝室の情報に基づき、寝室の室内推定温度を算出し、算出された室内推定温度に基づき、所定の寝床内環境を維持するに適した寝具の保温性能を算出し、算出された保温性能を有する寝具を、保温性能とともに商品情報が蓄積された寝具データベース内の寝具データから検索して、貸し出し対象となる寝具の仕様情報を生成し、上記の仕様情報に貸し出し価格情報を加えて寝具見積情報を生成するとともに、上記の仕様情報に基づき寝具製造者に対する発注情報を生成する。【選択図】      図１
2020077277.tif 000002
【特許請求の範囲】
【請求項１】
寝具レンタル店舗に備えた入力部、記憶部，演算処理装置、表示部、出力部を含む店舗端末を用いてレンタル寝具の発注を支援するレンタル寝具発注支援システムであって、
寝具の借り出しを希望する消費者の寝室の情報に基づき、寝室の室内推定温度を算出する手段と、
算出された室内推定温度に基づき、所定の寝床内環境を決定し、それを維持するに適した寝具の保温性能を算出する手段と、
上記の算出結果に基づき寝具診断結果情報を生成し、この情報を寝具診断書として可視化して消費者に提示する手段と、
算出された保温性能を有する寝具を、保温性能とともに商品情報が蓄積された寝具データベース内の寝具データから検索して、貸し出し対象となる寝具の仕様情報を生成する手段と、
上記の仕様情報に貸し出し価格情報を加えて寝具見積情報を生成し、この情報を見積書として可視化して消費者に提示する手段と、
上記の仕様情報に基づき寝具製造者に対する発注情報を生成し、この情報を発注書として可視化する手段、
を有することを特徴とするレンタル寝具発注支援システム。
【請求項２】
各寝具レンタル店舗に備えた店舗端末とインターネット上に配した発注支援サーバを接続し、発注支援サーバにおいて、店舗端末から送信された消費者の寝室の情報に基づき、寝室の室内推定温度の算出、寝具の保温性能の算出、寝具診断結果情報の生成、寝具の仕様情報の生成、寝具見積情報の生成、寝具発注情報の生成を行う請求項１記載のレンタル寝具発注支援システム。
【請求項３】
室内推定温度を算出するための寝室の情報は、
居住地の住所、住宅構造、寝室の広さ、寝室で寝ている人数、寝室の床材の種類、寝室の窓の大きさ、寝室の窓の覆いの種類、就寝時のドアの開閉回数、使用空調機の種類、空調機の設定温度のうちの一部または全部を含む請求項１または２のいずれかに記載のレンタル寝具発注支援システム。
【請求項４】
寝床内環境には寝床内の湿度も含む請求項１から３の何れかに記載のレンタル寝具発注支援システム。
【請求項５】
寝床内環境の決定に際し、寝室内に設置した温室度測定機械により測定した温室度情報も使用する請求項１から４の何れかに記載のレンタル寝具発注支援システム。
【請求項６】
寝具にはふとんを含む請求項１から５の何れかに記載のレンタル寝具発注支援システム。
【請求項７】
寝具にはブランケットを含む請求項１から６の何れかに記載のレンタル寝具発注支援システム。
【請求項８】
寝具にはタオルケットを含む請求項１から７の何れかに記載のレンタル寝具発注支援システム。
【請求項９】
寝具にはベッドパッドを含む請求項１から８の何れかに記載のレンタル寝具発注支援システム。
【請求項１０】
寝具には枕を含む請求項１から９の何れかに記載のレンタル寝具発注支援システム。
【発明の詳細な説明】
【技術分野】
【０００１】
本願発明はレンタル業者が掛けふとんなどの寝具のレンタルを行うに際し、レンタル先の消費者に対して寝室との関係において最適な保温性能を有する寝具を提案して、それを仕入れのために寝具メーカーに発注することを支援するシステムに関する。
【背景技術】
【０００２】
寝具のレンタルの代表的なビジネスモデルとして明治時代以来の伝統がある「貸し布団」が周知である。これは、臨時に短期間寝具を借り受けるシステムであり、来客などがあり家庭にある寝具だけでは間に合わなかった場合、企業で臨時に社屋に社員が宿泊する場合、建築現場の仮設宿舎に作業員が宿泊する場合や、寺院に檀家や信者が宿泊する場合や、災害や天災時の仮設宿舎に被災者が宿泊する場合などに使用されている。
【０００３】
一方、ホテルや寮や病院などの不特定多数が宿泊する施設においても寝具のレンタルが広く利用されている。これはリースに近いビジネスモデルであり、レンタル寝具を長期間レンタルするシステムである。
【０００４】
他方、寝具中、羽毛布団はその良さは理解しても価格が高いので一般の消費者にとっては買い取りが困難であり、イニシャルコストが嵩まない前記の長期レンタルは検討に値し、寝具業界の新たなビジネスモデルとして多大な需要を見込める。
【０００５】
ところで、健康をそこなわず、かつ快適な睡眠を実現するためには、掛けふとんに代表される寝具に関し最適なものを使用することが肝要である。そこにおいて重要なことは、寝具の保温性能であり、寝室内の温度に対し寝具の保温性能が高過ぎると汗をかいて寝苦しく、逆に低過ぎると寒くて寝つけないこととなる。
【０００６】
ふとんの性能評価に関しては、昭和５８年度に工業技術院の「ふとんの規格体系調査委員会」が全日本わた寝装品製造業協同組合（現日本ふとん製造共同組合）を事務局として発足し、全国アンケート調査を行い、冬掛けふとんの要求度の高い順に「保温性」「弾力性」「重量」「吸放湿性」であるとの結論を得ている。そこで、日本睡眠環境学会と全日本寝具寝装品協会は、横浜国立大学にＪＩＳ化できる測定方法の開発を依頼し、「ふとんの保温性試験方法（ＪＩＳ−Ｌ１９１１）」「ふとんの弾力性試験方法（ＪＩＳ−Ｌ１９１４）」「ふとんの水分移動特性試験方法（ＪＩＳ−Ｌ１９１５）」を制定した（非特許文献１）。
【０００７】
また、ふとんの保温性の測定に関しては、それを安価かつ容易に測定できる保温性試験装置が開発され（特許文献１）、市販のふとんの保温性能をＴＯＧ値として特定できるようになった。ＴＯＧ値とは掛けふとんの性能で就寝時の発熱をふとんが逃さない度合いをデジタル化したものであり、１平方メートルあたり１ワットの熱量が布団を移動した際に、ふとんの両面の温度差を１０倍した値が１ＴＯＧとなる。すなわち、ＴＯＧ値が大きいほどふとんの保温性が高いことになる。
【０００８】
一方、快適と言われるふとんを掛けた時の中の環境（以下「寝床内環境」と称す。）は温度３３℃（±１℃）、相対湿度５５％ＲＨであることが実証されている（非特許文献２）。
【先行技術文献】
【特許文献】
【０００９】
【特許文献１】特許第４０８６８５７号
【非特許文献１】「睡眠と環境」、川島美勝他著、日本睡眠環境学会、９２−９８，２００２
【非特許文献２】「衣服内気候と衣服材料」、原田隆司、土田和義、丸山淳子共著、繊維工学学会誌Ｖｏ１．３５、Ｎｏ．８（１９８２）Ｐ．３０−３７
【発明の開示】
【発明が解決しようとする課題】
【００１０】
前記したようにイニシャルコストが嵩まず、誰でも気軽に羽毛布団などの高価な寝具を使用することができる前記の長期レンタルは、寝具業界の新たなビジネスモデルとして多大な需要を見込める。しかしながら、前記したように、寝床内の環境はふとんの保温性能のみによって決せられるものではなく、寝具を使用する寝室の温度に依存する。よって、寝具を使用する寝室の環境を考えずにふとんを選定することは適当ではなく、店頭で消費者が自己責任で寝具を選定して買い取る場合のような売り切りではなく、継続的に消費者との関係が続く長期レンタルの場合は、不適合な寝具が届くことにより、レンタル業者と消費者間で思わぬトラブルを生じるおそれがあった。
【００１１】
しかしながら、寝具を使用する寝室の環境によりふとんを選定することは専門の寝具業者にとっても決して容易な作業ではなく、それが前記ビジネスモデルの普及を妨げていた。
【００１２】
本願発明は以上の問題点に鑑みて創作されたものであり、レンタル業者において消費者に最適な寝具を容易に提案することを可能としたレンタル寝具発注支援システムを提供することを目的とする。
【課題を解決するための手段】
【００１３】
すなわち、本願発明のレンタル寝具発注支援システムレンタル寝具発注支援システムは、
寝具レンタル店舗に備えた入力部、記憶部，演算処理装置、表示部、出力部を含む店舗端末を用いてレンタル寝具の発注を支援するレンタル寝具発注支援システムであって、
寝具の借り出しを希望する消費者の寝室の情報に基づき、寝室の室内推定温度を算出する手段と、
算出された室内推定温度に基づき、所定の寝床内環境を決定し、それを維持するに適した寝具の保温性能を算出する手段と、
上記の算出結果に基づき寝具診断結果情報を生成し、この情報を寝具診断書として可視化して消費者に提示する手段と、
算出された保温性能を有する寝具を、保温性能とともに商品情報が蓄積された寝具データベース内の寝具データから検索して、貸し出し対象となる寝具の仕様情報を生成する手段と、
上記の仕様情報に貸し出し価格情報を加えて寝具見積情報を生成し、この情報を見積書として可視化して消費者に提示する手段と、
上記の仕様情報に基づき寝具製造者に対する発注情報を生成し、この情報を発注書として可視化する手段、
を有することを特徴とする。
【００１４】
ここに、寝床内環境とは寝床内の温度、または湿温度を指す。また、本願発明においては寝具としてふとんの他、ブランケット、タオルケット、ベッドパッド、枕など保温のために体に掛けるものを想定している。
【００１５】
次に、請求項２記載の発明は前記のレンタル寝具発注支援システムにおいて、各寝具レンタル店舗に備えた店舗端末とインターネット上に配した発注支援サーバを接続し、発注支援サーバにおいて、店舗端末から送信された消費者の寝室の情報に基づき、寝室の室内推定温度の算出、寝具の保温性能の算出、寝具診断結果情報の生成、寝具の仕様情報の生成、寝具見積情報の生成、寝具発注情報の生成を行うことを特徴とする。
【００１６】
次に、請求項３記載の発明は前記のレンタル寝具発注支援システムにおいて、室内推定温度を算出するための寝室の情報は、
居住地の住所、住宅構造、寝室の広さ、寝室で寝ている人数、寝室の床材の種類、寝室の窓の大きさ、寝室の窓の覆いの種類、就寝時のドアの開閉回数、使用空調機の種類、空調機の設定温度のうちの一部または全部を含むことを特徴とする。
【発明の効果】
【００１７】
以上の構成より本願発明のレンタル寝具発注支援システムによれば、寝具のレンタルにおいてはレンタル業者は消費者から寝具を使用する寝室に関する情報の提供を受けるだけで、寝室の室内推定温度が算出され、これに基づいて最適な寝具の保温性能が算出され、算出された保温性能を有する寝具を、保温性能とともに商品情報が蓄積された寝具具データベース内の寝具データから検索して、貸し出し対象となる寝具の仕様情報が生成されるので、従来困難であった寝具の選定が正確なものとなる。
【００１８】
前記の場合、請求項３に記載の発明によれば、消費者が提供すべき寝室に関する情報は居住地の住所、住宅構造、寝室の広さ、寝室で寝ている人数、寝室の床材の種類、寝室の窓の大きさ、寝室の窓の覆いの種類、就寝時のドアの開閉回数、使用空調機の種類、空調機の設定温度に過ぎず、これらは事前の準備を要せず消費者が店頭で直ちに思い出せるような類のものなので、レンタル業者は容易に本願発明のレンタル寝具発注支援システム利用することができる。
【００１９】
また、本願発明のレンタル寝具発注支援システムによれば、消費者から情報の提供を受ければ、瞬時に寝具診断書が作成され、同時に寝具の仕様情報に貸し出し価格情報が加えられた見積書が作成され、これを提示された消費者から合意を得た段階で直ちに発注書が作成され、仕入れのための寝具メーカーへの発注が完了するので、受注発注を極めてスピーディーに行うことができる。
【図面の簡単な説明】
【００２０】
【図１】この発明のレンタル寝具発注支援システムの全体のブロック図
【図２】同上、端末およびサーバのブロック図
【図３】同上、店舗端末箇所のブロック図
【図４】同上、手順の流れを示すフローチャート
【図５】同上、このシステムにアクセスした際の店舗端末のブラウザ画面
【図６】同上、このシステムにアクセスした際の店舗端末のブラウザ画面
【図７】同上、このシステムにアクセスした際の店舗端末のブラウザ画面
【図８】同上、このシステムにアクセスした際の店舗端末のブラウザ画面
【発明を実施するための最良の形態】
【００２１】
以下、この発明の具体的実施例を添付図面に基づいて説明する。この実施例は請求項２〜１０に記載の発明を実施した場合の例を示しており、寝具の一例として羽毛掛けふとんを想定している。
【００２２】
すなわち、寝具レンタル店舗に備えた入力部、記憶部，演算処理装置、表示部、出力部を含む店舗端末を用いてレンタル寝具の発注を支援するレンタル寝具発注支援システムであって、
寝具の借り出しを希望する消費者の寝室の情報に基づき、寝室の室内推定温度を算出する手段と、
算出された室内推定温度に基づき、所定の寝床内環境を決定し、それを維持するに適した寝具の保温性能を算出する手段と、
上記の算出結果に基づき寝具診断結果情報を生成し、この情報を寝具診断書として可視化して消費者に提示する手段と、
算出された保温性能を有する寝具を、保温性能とともに商品情報が蓄積された寝具データベース内の寝具データから検索して、貸し出し対象となる寝具の仕様情報を生成する手段と、
上記の仕様情報に貸し出し価格情報を加えて寝具見積情報を生成し、この情報を見積書として可視化して消費者に提示する手段と、
上記の仕様情報に基づき寝具製造者に対する発注情報を生成し、この情報を発注書として可視化する手段を有し、
各寝具レンタル店舗に備えた店舗端末とインターネット上に配した発注支援サーバを接続し、発注支援サーバにおいて、店舗端末から送信された消費者の寝室の情報に基づき、寝室の室内推定温度の算出、寝具の保温性能の算出、寝具診断結果情報の生成、寝具の仕様情報の生成、寝具見積情報の生成、寝具発注情報の生成を行うレンタル寝具発注支援システムを例にとっている。
【００２３】
図１および２はこの実施例のレンタル寝具発注支援システムの全体のブロック図である。図中符号Ｔは寝具借り入れ希望者が来店するレンタル業者の店舗Ｓに設置される店舗端末である。この店舗端末ＴはインターネットなどのネットワークＮを介して、発注支援サーバ８と接続される。
【００２４】
図中符号Ｍは発注情報に基づき寝具を製造し、寝具レンタル店舗または消費者に発送する製造メーカー、１０は前記発注情報を受信、解析し、生産指示および発送管理を行うためのメーカーサーバである。
【００２５】
なお、寝具レンタル店舗Ｓからの寝具の発注は製造メーカーＭに直接行う他、仕入協同組合Ｋを介して行ってもよい。図中符号９は前記発注情報を受信し、内容に誤りがないかをチェックし、製造メーカーＭに発注するための仕入協同組合サーバである。
【００２６】
発注支援サーバ８は商品マスタサーバを有し、外部の気象サーバ７と接続される。気象サーバ７は寝具借り入れ希望者の所在地の気温データを検索するためのものであり、気象庁の気象データベースなどを利用する。商品マスタサーバは寝具の商品情報をその保温性能とともに収録したデータベースを検索するためのものである。
【００２７】
図３は店舗端末１のブロック図であり、キーボードやタッチパネルなどの入力部１と、プログラム記憶部５、データ記憶部６、演算処理装置Ｃ、デイスプレィなどの表示部３、プリンタなどの出力部４、ネットワークに接続するための通信制御部２を含む公知の構造のものである。
【００２８】
以下、この発明のレンタル寝具発注支援システムの手順の流れを図４のフローチャートに沿って説明する。
【００２９】
手順１（Ｓ１）〜手順２（Ｓ２）  
システムをスタートさせることにより、店舗端末Ｔの表示部３のブラウザ画面上に寝具借り入れ希望者が寝具を使用する寝室の情報を入力するための図５に示す寝室環境入力画面が表示される。
【００３０】
手順３（Ｓ３）
前記の画面は寝具借り入れ希望者の居住地の住所４１、住宅構造４２、寝室の広さ４３、寝室で寝ている人数４４、寝室の床材の種類４５、寝室の窓の大きさ４６、寝室の窓の覆いの種類４７、就寝時のドアの開閉回数４８、使用空調機の種類４９、空調機の設定温度５０に関し、選択肢を有するものであり、寝具借り入れ希望者がこれらのうちのそれぞれの数値や種類を選択することにより、寝具借り入れ希望者が寝具を使用する寝室の情報が発注支援サーバ８のデータ記憶部に記憶される。
【００３１】
手順４（Ｓ４）〜手順６（Ｓ６）
寝室環境のうちの居住地の住所は寝室の外気温を決定するためのものであり、発注支援サーバ８においては住所データを気象サーバ７に送出して検索することにより気象サーバから外気温データを得る。この場合、気象庁の既存の気象データベースを利用する場合は、郵便番号から住所を特定し最寄りの気象庁気象台を特定し、気象庁気象データベースから外気温データを取得し、郵便番号住所付近の外気温とする。なお、計算で使用する外気温度は午前５時時点の気温である。
【００３２】
手順７（Ｓ７）
前記の手順で得られた寝室の情報に基づいて、寝室の室内推定温度が算出される。具体的にはデータを以下の式に代入し室内推定温度を算出する。
室内推定温度＝定数＋（β１×外気温）＋（β２×空調機器）＋（β３×住宅構造）＋（β４×寝室の広さ）＋（β５×寝室の寝ている人数）＋（β６×時間帯）＋（β７月＋誤差) 
β及び誤差は被験者の実測数値から重回帰分析で得られた係数及び値である。
【００３３】
手順８（Ｓ８）
前記の手順で得られた寝室の室内推定温度を以下の式に代入することにより、所定の寝床内環境を維持するに適した寝具の保温性能をＴＯＧ値として算出する。
保温性能（ＴＯＧ）＝（２３．６０８２４５ー０．６３０５０４５）×平均室温（℃）
【００３４】
手順９（Ｓ９）
前記の手順で得られたＴＯＧ値は店舗端末Ｔの表示部３のブラウザ画面上に図６に示す画面に寝具診断書として表示される。この画面は算出されたＴＯＧ値５３が寝室の室内推定温度５１ととも表示されるものであり、ここでは室温のグラフ５２も表示している。
【００３５】
手順１０（Ｓ１０）
前記の画面はボタンＲにより図７に示す画面に切り換わるものであり、寝具借り入れ希望者はこの画面で希望するふとんの種類を選択することができる。ふとんを選択する要素はふとんのサイズ５４、充填物の種類５５、生地の種類５６である。
【００３６】
手順１１（Ｓ１１）〜手順１３（Ｓ１３）
前記の手順で得られたＴＯＧ値と、ふとんの種類の情報はネットワークＮを介して発注支援サーバ８に送られる。発注支援サーバ８は寝具の商品情報をその保温性能とともに収録したデータベースを有する商品マスタサーバに転送し、商品マスタサーバでは送られた情報を検索ワード条件として、これと合致する具体的な商品を検索し、その商品情報を店舗端末Ｔに提供する。
【００３７】
手順１４（Ｓ１４）
店舗端末Ｔにおいては、検索された前記の商品情報を図７に示す画面に反映させて、商品情報５７を掲載した図８に示す画面を見積り書として表示する。
【００３８】
前記の見積り書に基づき商談が開始され、商談が成立した場合は上記の仕様情報に基づき製造メーカーＭに対する発注情報を生成し、この情報を発注書として可視化するとともにネットワークＮを介して製造メーカーＭに送る。なお、この実施例では発注情報は仕入協同組合Ｋの仕入協同組合サーバ９に送られ、そこで内容に誤りがないかをチェックした後、製造メーカーＭのメーカーサーバ１０も送られる。
【符号の説明】
【００３９】
Ｓ      寝具レンタル店舗
Ｋ      仕入協同組合
Ｍ      製造メーカー
Ｎ      ネットワーク
Ｔ      店舗端末
７      気象サーバ
８      発注支援サーバ
９      仕入協同組合サーバ
１０    メーカーサーバ
【図１】
2020077277.tif 000003
【図２】
2020077277.tif 000004
【図３】
2020077277.tif 000005
【図４】
2020077277.tif 000006
【図５】
2020077277.tif 000007
【図６】
2020077277.tif 000008
【図７】
2020077277.tif 000009
【図８】
2020077277.tif 000010